(57)【要約】【課題】ユーザＩＤおよびパスワードが求められる装置に対する情報の入力が容易になるコンテンツ出力システムを提供する。【解決手段】コンテンツ出力システムを構成する携帯電話がテレビに発信する信号６００は、開始ビット６１０と制御データ６２０と終了ビット６３０とを含む。制御データ６２０は、端末管理テーブルを含む。端末管理テーブルは、携帯電話の機器ＩＤと、認証機能を特定するデータとを含む。【選択図】図６
2008199197.tif 000002
【特許請求の範囲】
【請求項１】
コンテンツ出力システムであって、携帯通信端末を備え、
前記携帯通信端末は、
前記携帯通信端末の使用者を特定する認証情報を生成する生成手段と、
前記携帯通信端末による認証の種類を特定する識別データを格納する記憶手段と、
前記識別データを有する信号を発信する第１の発信手段とを含み、
前記コンテンツ出力システムは、コンテンツ出力装置をさらに備え、前記コンテンツ出力装置は、ネットワークを介して情報通信装置に接続されており、前記情報通信装置は、前記コンテンツ出力装置によるアクセスに対する認証の結果に応じて情報コンテンツを送信するものであり、
前記コンテンツ出力装置は、
前記携帯通信端末によって発信された信号を受信する第１の受信手段と、
前記第１の受信手段によって受信された信号に含まれる前記識別データに基づいて、前記認証の種類に応じたデータの入力要求を発信する要求手段とを含み、
前記携帯通信端末は、
前記入力要求を受信する第２の受信手段と、
前記入力要求が受信されたことに基づいて前記認証情報を発信する第２の発信手段とを含み、
前記コンテンツ出力装置は、
前記第１の受信手段によって受信された前記認証情報を、前記情報通信装置に送信する送信手段と、
前記認証の結果に応じて前記情報通信装置から送信された情報コンテンツを出力する出力手段とを含む、コンテンツ出力システム。
【請求項２】
前記生成手段は、
画像の入力を受け付ける画像入力手段と、
前記画像に基づいて前記認証情報を生成する認証情報生成手段とを含む、請求項１に記載のコンテンツ出力システム。
【請求項３】
前記画像入力手段は、被写体を撮影して画像信号を出力する撮像手段を含み、
前記認証情報生成手段は、前記画像信号に基づいて前記認証情報を生成する、請求項２に記載のコンテンツ出力システム。
【請求項４】
前記携帯通信端末は、当該携帯通信端末の使用者について予め取得された画像データを格納する教示データ記憶手段をさらに備え、
前記認証情報生成手段は、前記画像信号と前記画像データとに基づいて前記認証情報を生成する、請求項３に記載のコンテンツ出力システム。
【請求項５】
前記生成手段は、前記携帯通信端末に対する操作入力を受け付けて、前記操作入力に基づいて前記認証情報を生成する、請求項１に記載のコンテンツ出力システム。
【請求項６】
前記認証情報は、前記携帯通信端末に入力される文字情報と、生体情報とのいずれかを含む、請求項１に記載のコンテンツ出力システム。
【請求項７】
前記携帯通信端末は携帯電話機を含む、請求項１に記載のコンテンツ出力システム。
【請求項８】
前記コンテンツ出力装置は、テレビジョン受信装置を含む、請求項１に記載のコンテンツ出力システム。
【請求項９】
コンテンツ出力装置を制御するための携帯通信端末であって、前記コンテンツ出力装置は、ネットワークを介して情報通信装置に接続されており、前記携帯通信端末によって発信された信号を受信し、受信した前記信号に含まれるデータに基づいて、前記携帯通信端末による認証の種類に応じたデータの入力要求を前記情報通信装置に送信し、前記情報通信装置は、前記コンテンツ出力装置によるアクセスに対する認証の結果に応じて情報コンテンツを送信するものであり、
前記携帯通信端末は、
前記携帯通信端末の使用者を特定する認証情報を生成する生成手段と、
前記携帯通信端末による認証の種類を特定する識別データを格納する記憶手段と、
前記識別データを有する信号を発信する第１の発信手段と、
前記コンテンツ出力装置によって発信された前記入力要求を受信する受信手段と、
前記入力要求が受信されたことに基づいて前記認証情報を発信する第２の発信手段とを含む、携帯通信端末。
【請求項１０】
前記生成手段は、
画像の入力を受け付ける画像入力手段と、
前記画像に基づいて前記認証情報を生成する認証情報生成手段とを含む、請求項９に記載の携帯通信端末。
【請求項１１】
前記画像入力手段は、被写体を撮影して画像信号を出力する撮像手段を含み、
前記認証情報生成手段は、前記画像信号に基づいて前記認証情報を生成する、請求項９に記載の携帯通信端末。
【請求項１２】
前記携帯通信端末は、当該携帯通信端末の使用者について予め取得された画像データを格納する教示データ記憶手段をさらに備え、
前記認証情報生成手段は、前記画像信号と前記画像データとに基づいて前記認証情報を生成する、請求項９に記載の携帯通信端末。
【請求項１３】
前記生成手段は、前記携帯通信端末に対する操作入力を受け付けて、前記操作入力に基づいて前記認証情報を生成する、請求項９に記載の携帯通信端末。
【請求項１４】
前記認証情報は、前記携帯通信端末に入力される文字情報と、生体情報とのいずれかを含む、請求項９に記載の携帯通信端末。
【請求項１５】
前記携帯通信端末は携帯電話機を含む、請求項９に記載の携帯通信端末。
【請求項１６】
ネットワークを介して情報通信装置に接続されるコンテンツ出力装置であって、前記コンテンツ出力装置は、携帯通信端末によって制御され、前記携帯通信端末は、前記携帯通信端末の使用者を特定する認証情報を生成し、前記携帯通信端末による認証の種類を特定する識別データを有しており、前記識別データを有する信号を発信するものであり、前記情報通信装置は、前記コンテンツ出力装置によるアクセスに対する認証の結果に応じて情報コンテンツを送信するものであり、
前記コンテンツ出力装置は、
前記携帯通信端末によって発信された信号を受信する受信手段と、
前記受信手段によって受信された信号に含まれる前記識別データに基づいて、前記認証の種類に応じたデータの入力要求を発信する要求手段と、
前記入力要求に応答して発信された認証情報を前記携帯通信端末から受信すると、前記情報通信装置に送信する送信制御手段と、
前記認証の結果に応じて前記情報通信装置から送信された情報コンテンツを出力する出力手段とを備える、コンテンツ出力装置。
【請求項１７】
前記情報通信装置は、前記携帯通信端末について予め取得された教示データを格納する記憶手段をさらに備え、
前記送信制御手段は、前記認証情報と前記教示データとに基づいて、前記認証情報が正当な情報であるか否かを判定し、前記認証情報が正当な情報であるときに前記認証情報を前記情報通信装置に送信する、請求項１６に記載のコンテンツ出力装置。
【請求項１８】
前記入力要求は、前記携帯通信端末を特定するデータと、前記携帯通信端末が有する認証機能を特定するデータとを含む、請求項１６に記載のコンテンツ出力装置。
【請求項１９】
前記認証情報は、前記携帯通信端末に入力される文字情報と、生体情報とのいずれかを含む、請求項１６に記載のコンテンツ出力装置。
【請求項２０】
前記コンテンツ出力装置は、テレビジョン受信装置を含む、請求項１６に記載のコンテンツ出力装置。
【発明の詳細な説明】
【技術分野】
【０００１】
本発明は情報へのアクセスを制御する技術に関し、より特定的には、情報の利用者が制限された情報へのアクセスを制御する技術に関する。
【背景技術】
【０００２】
ネットワークを経由して映像コンテンツあるいは音楽コンテンツを配信するサービスがある。このようなサービスは、そのサービスを受けるために前もって登録された使用者に対して割り当てられたユーザＩＤとパスワードとによる認証の後に提供される場合が多い。従って、使用者は、そのサービスにアクセスするために、ユーザＩＤおよびパスワードを入力する必要がある。
【０００３】
このようなサービスを受けるための一つの装置として、ネットワークに接続されて通信可能なテレビジョン受信装置（以下、単にテレビという。）がある。テレビは、リモコン端末の制御信号によって制御される。リモコン端末は、当該テレビに固有なリモコン端末に限られず、情報通信端末の一つの機能として実現される場合もある。
【０００４】
たとえば、特開２００４−２３４２３号公報（特許文献１）は、テレビ等の音量をリモコン操作なしで調整できるリモートコントロール機器を開示している。
【０００５】
また、特開２００５−１２３７８０号公報（特許文献２）は、機器の利用者を簡単かつ正確に検出して、その利用者に応じて機器の制御情報を変更できる機器制御システムを開示している。
【特許文献１】特開２００４−２３４２３号公報
【特許文献２】特開２００５−１２３７８０号公報
【発明の開示】
【発明が解決しようとする課題】
【０００６】
しかしながら、特開２００４−２３４２３号公報に開示された技術によると、特定の使用者に応じた制御を容易に実現することができない。また、制御される機器を経由して他の装置から情報を取得する場合には、たとえば、特開２００５−１２３７８０号公報に開示された技術では、アクセスが容易でない場合もあった。
【０００７】
本発明は、上述の問題点を解決するためになされたものであって、その目的は、コンテンツ情報の取得を容易に実現できるコンテンツ出力システムを提供することである。他の目的は、コンテンツ情報の取得にアクセス制限が設けられている場合に認証のための操作が容易になるコンテンツ出力システムを提供することである。他の目的は、認証のための情報の誤入力が防止されるコンテンツ出力システムを提供することである。他の目的は、複数のユーザの各々によるアクセスを制限しつつ、各ユーザによる認証が簡易に実現されるコンテンツ出力システムを提供することである。
【０００８】
本発明の他の目的は、コンテンツ情報の取得を容易に実現できる携帯通信端末を提供することである。他の目的は、コンテンツ情報の取得にアクセス制限が設けられている場合に認証のための操作が容易になる携帯通信端末を提供することである。他の目的は、認証のための情報の誤入力が防止される携帯通信端末を提供することである。他の目的は、複数のユーザの各々によるアクセスを制限しつつ、各ユーザによる認証が簡易に実現される携帯通信端末を提供することである。また、他の目的は、ユーザー認証をするために、新たなデバイス・機器などを新規に導入することなく、既に搭載されている認証手段を活用することができる携帯通信端末を提供することである。
【０００９】
本発明のさらに他の目的は、コンテンツ情報の取得を容易に実現できるコンテンツ出力装置を提供することである。他の目的は、コンテンツ情報の取得にアクセス制限が設けられている場合に認証のための操作が容易になるコンテンツ出力装置を提供することである。他の目的は、認証のための情報の誤入力が防止されるコンテンツ出力装置を提供することである。他の目的は、複数のユーザの各々によるアクセスを制限しつつ、各ユーザによる認証が簡易に実現されるコンテンツ出力装置を提供することである。また、他の目的は、ユーザー認証をするために、新たなデバイス・機器などを新規に導入することなく、既に搭載されている認証手段を活用することができるコンテンツ出力装置を提供することである。
【課題を解決するための手段】
【００１０】
上記の課題を解決するために、この発明のある局面に従うコンテンツ出力システムは、携帯通信端末を備える。携帯通信端末は、携帯通信端末の使用者を特定する認証情報を生成する生成手段と、携帯通信端末による認証の種類を特定する識別データを格納する記憶手段と、識別データを有する信号を発信する第１の発信手段とを含む。コンテンツ出力システムは、コンテンツ出力装置をさらに備える。コンテンツ出力装置は、ネットワークを介して情報通信装置に接続されている。情報通信装置は、コンテンツ出力装置によるアクセスに対する認証の結果に応じて情報コンテンツを送信する。コンテンツ出力装置は、携帯通信端末によって発信された信号を受信する第１の受信手段と、第１の受信手段によって受信された信号に含まれる識別データに基づいて、認証の種類に応じたデータの入力要求を発信する要求手段とを含む。携帯通信端末は、入力要求を受信する第２の受信手段と、入力要求が受信されたことに基づいて認証情報を発信する第２の発信手段とを含む。コンテンツ出力装置は、第１の受信手段によって受信された認証情報を、情報通信装置に送信する送信手段と、認証の結果に応じて情報通信装置から送信された情報コンテンツを出力する出力手段とを含む。
【００１１】
好ましくは、生成手段は、画像の入力を受け付ける画像入力手段と、画像に基づいて認証情報を生成する認証情報生成手段とを含む。
【００１２】
好ましくは、画像入力手段は、被写体を撮影して画像信号を出力する撮像手段を含む。認証情報生成手段は、画像信号に基づいて認証情報を生成する。
【００１３】
好ましくは、携帯通信端末は、当該携帯通信端末の使用者について予め取得された画像データを格納する教示データ記憶手段をさらに備える。認証情報生成手段は、画像信号と画像データとに基づいて認証情報を生成する。
【００１４】
好ましくは、生成手段は、携帯通信端末に対する操作入力を受け付けて、操作入力に基づいて認証情報を生成する。
【００１５】
この発明の他の局面に従うと、コンテンツ出力装置を制御するための携帯通信端末が提供される。コンテンツ出力装置は、ネットワークを介して情報通信装置に接続されており、携帯通信端末によって発信された信号を受信し、受信した信号に含まれるデータに基づいて、携帯通信端末による認証の種類に応じたデータの入力要求を情報通信装置に送信する。情報通信装置は、コンテンツ出力装置によるアクセスに対する認証の結果に応じて情報コンテンツを送信する。携帯通信端末は、携帯通信端末の使用者を特定する認証情報を生成する生成手段と、携帯通信端末による認証の種類を特定する識別データを格納する記憶手段と、識別データを有する信号を発信する第１の発信手段と、コンテンツ出力装置によって発信された入力要求を受信する受信手段と、入力要求が受信されたことに基づいて認証情報を発信する第２の発信手段とを含む。
【００１６】
好ましくは、生成手段は、画像の入力を受け付ける画像入力手段と、画像に基づいて認証情報を生成する認証情報生成手段とを含む。
【００１７】
好ましくは、画像入力手段は、被写体を撮影して画像信号を出力する撮像手段を含む。認証情報生成手段は、画像信号に基づいて認証情報を生成する。
【００１８】
好ましくは、携帯通信端末は、当該携帯通信端末の使用者について予め取得された画像データを格納する教示データ記憶手段をさらに備える。認証情報生成手段は、画像信号と画像データとに基づいて認証情報を生成する。
【００１９】
好ましくは、生成手段は、携帯通信端末に対する操作入力を受け付けて、操作入力に基づいて認証情報を生成する。
【００２０】
好ましくは、認証情報は、携帯通信端末に入力される文字情報と、生体情報とのいずれかを含む。
【００２１】
この発明のさらに他の局面に従うと、ネットワークを介して情報通信装置に接続されるコンテンツ出力装置が提供される。コンテンツ出力装置は、携帯通信端末によって制御される。携帯通信端末は、携帯通信端末の使用者を特定する認証情報を生成し、携帯通信端末による認証の種類を特定する識別データを有しており、識別データを有する信号を発信する。情報通信装置は、コンテンツ出力装置によるアクセスに対する認証の結果に応じて情報コンテンツを送信する。コンテンツ出力装置は、携帯通信端末によって発信された信号を受信する受信手段と、受信手段によって受信された信号に含まれる識別データに基づいて、認証の種類に応じたデータの入力要求を発信する要求手段と、入力要求に応答して発信された認証情報を携帯通信端末から受信すると、情報通信装置に送信する送信制御手段と、認証の結果に応じて情報通信装置から送信された情報コンテンツを出力する出力手段とを備える。
【００２２】
好ましくは、情報通信装置は、携帯通信端末について予め取得された教示データを格納する記憶手段をさらに備える。送信制御手段は、認証情報と教示データとに基づいて、認証情報が正当な情報であるか否かを判定し、認証情報が正当な情報であるときに認証情報を情報通信装置に送信する。
【００２３】
好ましくは、入力要求は、携帯通信端末を特定するデータと、携帯通信端末が有する認証機能を特定するデータとを含む。
【００２４】
好ましくは、認証情報は、携帯通信端末に入力される文字情報と、生体情報とのいずれかを含む。
【００２５】
好ましくは、携帯通信端末は携帯電話機を含む。
好ましくは、コンテンツ出力装置は、テレビジョン受信装置を含む。
【発明を実施するための最良の形態】
【００２６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２７】
図１を参照して、本発明の実施の形態に係るコンテンツ出力システム１０について説明する。図１は、コンテンツ出力システム１０のシステム構成を表わす図である。コンテンツ出力システム１０は、コンテンツ出力装置として機能するテレビ１１０と、テレビ１１０を制御する携帯通信端末として機能する携帯電話１００とを備える。テレビ１１０は、インターネット１３０を介してコンテンツを提供するサービス提供サーバ１２０に接続されている。なお、本実施の形態に係る携帯通信端末は、携帯電話１００に限られず、ＰＤＡ（Personal Digital Assistant）その他の携帯型の情報処理端末であってもよい。また、コンテンツ出力装置は、テレビ１１０に限られず、ネットワーク通信の機能と、映像の表示機能または音声の出力機能とを有する装置でもよい。ある局面において、サービス提供サーバ１２０は、サービスを提供するためのウェブを有している。提供されるサービスは、映画、ドラマその他の映像コンテンツ情報の配信、音楽その他の音声コンテンツの配信などを含む。
【００２８】
テレビ１１０は、サービス提供サーバ１２０と通信することにより、サービス提供サーバ１２０によって出力されるコンテンツを受信する。ここで、コンテンツは、映像、音楽情報その他のデータを含む。ここで、サービス提供サーバ１２０は、コンテンツの出力要求に対し、予め登録されたユーザに対してのみ当該コンテンツを提供するために、当該ユーザであることを認証するための認証情報を要求する。たとえば、認証情報は、ユーザＩＤ（Identification）、パスワードのような文字または記号により特定される情報、携帯電話１００の使用者の顔画像、指紋その他の生体情報を含む。
【００２９】
テレビ１１０は、その認証情報をサービス提供サーバ１２０に送信する。サービス提供サーバ１２０は、その認証情報と、予めユーザを登録するときに記録した認証情報とを比較し、アクセスしているユーザが正当なユーザであるか否かを判定する。その判定の結果、当該ユーザが正当なユーザである場合には、サービス提供サーバ１２０は、そのユーザによって求められているコンテンツをインターネット１３０を介してテレビ１１０に送信する。テレビ１１０は、そのコンテンツを受信すると、テレビ放送信号を受信したときに映像を表示するのと同様に、そのコンテンツデータに基づく映像を表示する。
【００３０】
ここで、コンテンツを取得するために求められる認証情報は、たとえばテレビ１１０に付属するリモコン端末（図示しない）を操作することにより与えられる。本実施の形態においては、当該認証情報は、携帯電話１００によって与えられる。より具体的には、テレビ１１０が認証情報の要求を検知すると、認証情報の入力要求を発信する。携帯電話１００は、その入力要求を受信すると、その要求を表わす画像をディスプレイに表示する。携帯電話１００の使用者がそのディスプレイに表示された内容に対してボタンを操作することにより認証情報を入力すると、携帯電話１００は、テレビ１１０のリモコン端末と同様に赤外線信号を発信する。この赤外線信号は、入力された認証情報を含む。テレビ１１０は、その認証情報を受信すると、その情報をパケットデータに変換し、インターネット１３０に対して送出する。
【００３１】
なお、他の局面において、携帯電話１００は、ＲＦＩＤ（Radio  Frequency  Identification）機能を有していてもよい。この場合、携帯電話１００は、無線通信機能を実現するためのタグを有している。タグは、データとして、携帯電話１００の使用者のＩＤ、パスワード等を格納している。携帯電話１００がいわゆるお財布携帯電話として機能する場合、タグは、さらに金額情報を保持可能である。タグは、電波や電磁波で読み取り器と交信する。当該読み取り器は、テレビ１１０に接続されるリーダ、あるいは、テレビ１１０に内蔵されるリーダである。
【００３２】
この場合、使用者が、携帯電話１００をテレビ１１０に近づけると、ＩＤとパスワードとがテレビ１１０によって読み取られて、認証が行なわれる。
【００３３】
タグは、携帯電話１００のバッテリから電力の供給を受ける。あるいは、読み取り器から受信する信号から電力の供給を受けてもよい。具体的には、タグが内蔵するアンテナを介して、いわゆる「非接触電力伝送技術」を用いて、携帯電話１００の外部から電力の供給を受けてもよい。この場合、ＲＦＩＤ機能のための電池が不要になる。なお、タグの形状には、ラベル型、カード型、コイン型、スティック型などがあるが、携帯電話１００に装着可能なものであればよい。タグによる通信距離は、ＲＦＩＤ機能の用途に応じて、数ｍｍ程度のものから数ｍのものが選択可能である。
【００３４】
次に、図２を参照して、本実施の形態に係るコンテンツ出力システム１０の使用態様について説明する。図２（Ａ）は、携帯電話１００がテレビ１１０に対して信号を送信する態様を表わす図である。図２（Ｂ）は、テレビ１１０が信号を発信する態様を表わす図である。図２（Ｃ）は、携帯電話１００がテレビ１１０に対して信号を送信する態様を表わす図である。
【００３５】
図２（Ａ）を参照して、携帯電話１００は、与えられた操作入力に基づいて、携帯電話１００を識別する機器ＩＤと、携帯電話１００が備えるハードウェアの情報とを送信する。これらの情報の送信は、たとえばブルートゥース（登録商標）に基づいて行なわれるが、その他の規格に基づく信号によって発信されてもよい。機器ＩＤは、携帯電話１００の機器自体を識別する情報、たとえば製品番号、あるいは、携帯電話１００に割当てられた電話番号等であってもよい。機器ＩＤは、携帯電話１００の製造時にＲＯＭその他の不揮発メモリに書き込まれる。
【００３６】
図２（Ｂ）を参照して、テレビ１１０は、携帯電話１００によって発信された信号に基づいて、サービス提供サーバ１２０と通信することにより、提供されるサービスを利用するための準備を行なう。より具体的には、テレビ１１０は、携帯電話１００によって与えられたＵＲＬ（Uniform Resource Locator）その他の情報に従って、特定のサービスサイトにアクセスする。テレビ１１０は、そのサイトから発信される情報に基づいて当該サービスを利用するために予め登録されたデータに基づく認証が必要であることを検知する。テレビ１１０は、その検知の結果を認証要求として発信する。発信された信号は、携帯電話１００に受信される。
【００３７】
図２（Ｃ）を参照して、携帯電話１００の使用者が当該認証要求に基づいて表示された画面に対して認証のための操作を行なうと、その操作に応じた信号が発信される。ここで認証のための操作は、予め割り当てられたユーザＩＤとパスワードとの入力、携帯電話１００がカメラその他の撮像手段を有する場合における撮影、携帯電話１００が指紋認証機能を有する場合における当該指紋のスキャニングなどを含む。他の局面において、発話に基づく音声信号の取得であってもよい。この場合、声紋が認証情報として使用される。
【００３８】
携帯電話１００は、これらのいずれかの情報を認証情報として発信する。テレビ１１０は、その情報を受信すると、サービス提供サーバ１２０と通信し、当該特定のサービスの利用を開始するための許可を受ける。
【００３９】
次に、図３を参照して、本実施の形態に係る携帯電話１００について説明する。図３は、携帯電話１００によって実現される機能の構成を表わすブロック図である。携帯電話１００は、通話部３１０と、入力部３２０と、記憶部３３０と、信号受信部３４０と、制御部３５０と、発信部３６０と、表示部３７０とを備える。制御部３５０は、制御信号生成部３５２と、認証情報生成部３５４と、機器情報読出部３５６と、要求検出部３５８とを含む。
【００４０】
通話部３１０は、基地局によって発信された電波を受信して、その電波に基づく音声を出力するとともに、携帯電話１００に対して発話された音声に基づいて信号を発信する。
【００４１】
入力部３２０は、携帯電話１００に対する操作入力を受け付ける。ある局面において、入力部３２０は、テンキーその他のボタンとして実現される。他の局面において、入力部３２０は、タッチパネル式の操作部としても実現される。さらに、入力部３２０は、携帯電話１００の使用者を認証するための情報の入力を受け付ける。ある局面において、入力部３２０は、被写体を撮影して当該被写体に応じた画像を出力する撮像装置として実現される。当該撮像装置は、たとえばＣＣＤ（Charge Coupled Device）素子、ＣＭＯＳ（Complementary Metal-Oxide Semiconductor）素子その他のデバイスによって実現される。他の局面において、入力部３２０は、指紋を認識するためのデバイスとしても実現される。入力部３２０から出力されるデータは、制御部３５０に与えられる。
【００４２】
記憶部３３０は、携帯電話１００に与えられたデータ、携帯電話１００において生成されたデータを格納する。記憶部３３０に格納されるデータは、通話部３１０によって使用される電話番号、電子メールのアドレス、携帯電話１００の使用者を認証するために生成された認証情報などを含む。
【００４３】
信号受信部３４０は、テレビ１１０によって発信された信号を受信する。信号受信部３４０は、ある局面において、ブルートゥース（登録商標）に従って発信された信号を受信するためのアンテナと、当該アンテナによって受信された信号を処理するためのフロントエンド回路とを含む。信号受信部３４０から出力されるデータは、制御部３５０に与えられる。
【００４４】
制御部３５０において、制御信号生成部３５２は、入力部３２０から出力される信号に基づいてテレビ１１０の動作を制御するための制御信号を生成する。制御信号は、テレビ１１０におけるチャンネルの選局のための信号、インターネット１３０に接続してサービス提供サーバ１２０その他の情報提供サイトにアクセスするための命令などを含む。制御信号生成部３５０によって生成された信号は、発信部３６０に与えられる。
【００４５】
認証情報生成部３５４は、入力部３２０から出力される命令に応答して、記憶部３３０に格納されているデータを用いて認証情報を生成する。当該認証情報は、たとえばサービス提供サーバ１２０にアクセスするために必要なユーザＩＤとパスワードとを含む。認証情報生成部３５４によって生成された情報は、発信部３６０に与えられる。
【００４６】
機器情報読出部３５６は、入力部３２０から与えられる命令に応答して、記憶部３３０に格納されている機器情報を読み出す。当該機器情報は、携帯電話１００が有するデバイスに関する情報を含む。当該デバイスに関する情報は、たとえば携帯電話１００による音声の出力機能、ＬＥＤ（Light Emitting Diode）などの発光素子の有無、発光色の種類、発光パターン、ＣＣＤカメラその他の撮像装置の有無、指紋認証機能の有無などを含む。機器情報読出部３５６から出力される情報は、発信部３６０に与えられる。要求検出部３５８は、信号受信部３４０から出力されるデータに基づいて、テレビ１１０が認証情報を要求していることを検出する。要求検出部３５８から出力されるデータは、表示部３７０に与えられる。
【００４７】
発信部３６０は、入力される信号を無線信号として携帯電話１００の外部に発信する。発信部３６０による発信の態様は、たとえばブルートゥース（登録商標）に従うものであるが、その他の規格に基づく信号が発信されてもよい。
【００４８】
表示部３７０は、与えられるデータに基づいて画像を表示する。表示部３７０は、ある局面において、液晶ディスプレイ、有機ＥＬ（Electro Luminescence）その他の表示装置として実現される。表示部３７０は、要求検出部３５８から与えられる信号に基づいて、テレビ１１０において認証情報が要求されていることを表わす画面を表示する。当該画面は、より特定的には、ユーザＩＤとパスワードとの入力を受け付けるための領域を含む。
【００４９】
次に、図４を参照して、携帯電話１００の具体的構成について説明する。図４は、携帯電話１００のハードウェア構成を表わすブロック図である。携帯電話１００は、通信装置４０２と、受信部４０４と、アンテナ４０８と、ＣＰＵ（Central Processing Unit）４１０と、操作ボタン４２０と、カメラ４４０と、フラッシュメモリ４４４と、ＲＡＭ（Random Access Memory）４４６と、データ用ＲＯＭ（Read Only Memory）４４８と、ディスプレイ４５０と、リモコン信号発信部４６０と、音声信号処理回路４７０と、マイク４７２と、スピーカ４７４と、ＬＥＤ４７６と、データ通信ＩＦ（Interface）４７８と、メモリカード駆動装置４８０と、バイブレータ４８４とを備える。メモリカード駆動装置４８０には、メモリカード４８２が装着可能である。
【００５０】
アンテナ４０８は、基地局によって発信された電波を受信し、信号を通信装置４０２に送出する。通信装置４０２は、その信号を携帯電話１００における内部の処理に適合した形式に変換し、ＣＰＵ４１０に送出する。逆に、携帯電話１００が音声信号を発信する場合には、通信装置４０２は、ＣＰＵ４１０から出力されるデータを用いて無線送信用の信号に変換し、アンテナ４０８を介して発信する。
【００５１】
受信部４０４は、微弱な電波（たとえばブルートゥース（登録商標）に従って発信された信号）を受信する。受信部４０４によって受信された信号は、ＣＰＵ４１０に送出される。
【００５２】
ＣＰＵ４１０は、携帯電話１００に対して与えられた指示に基づいて当該指示に応じた制御を実行する。より具体的には、ＣＰＵ４１０は、携帯電話１００による電話の発信または着信時における動作を制御する。他の局面において、リモコン信号を発信するための処理を実行する。
【００５３】
操作ボタン４２０は、携帯電話１００の筐体の表面に配置されている。操作ボタン４２０は、テンキーその他のボタンを含む。操作ボタン４２０は、携帯電話１００に対する指示入力を受け付けて、当該入力に応じた信号をＣＰＵ４１０に送出する。ＣＰＵ４１０は、その入力に基づいて特定の処理を実行し、操作されたボタンに対応する機能を実現する。より具体的には、携帯電話１００が通常の電話機として機能する場合には、操作ボタン４２０に対して与えられた数字の入力は、電話を発信するための操作として検知される。
【００５４】
他の局面において、携帯電話１００がテレビ１１０を制御するためのリモコン端末として機能する場合には、操作ボタン４２０に対して与えられた入力は、リモコン信号発信部４６０を介して外部に発信される命令を規定する。より具体的には、テレビ１１０がユーザＩＤとパスワードとの入力を要求している場合には、操作ボタン４２０に対して行なわれる操作によって、当該ユーザＩＤおよびパスワードの入力が実現される。これらの入力は、リモコン信号発信部４６０によって制御信号に変換された後に、発信される。テレビ１１０がその信号を受信すると、テレビ１１０に対して直接ユーザＩＤとパスワードとを入力したのと同様の効果が得られる。
【００５５】
カメラ４４０は、操作ボタン４２０に対する操作に応答して、予め規定された撮影モードに基づいて被写体を撮影する。その撮影によって生成される画像信号は、ＣＰＵ４１０に送出される。ＣＰＵ４１０は、画像処理機能を有している場合には、その画像信号に対して予め準備された画像処理（たとえば２値化処理、濃淡処理、エッジ強調処理など）を実行し、携帯電話１００の使用者を特定するために必要な情報を抽出する。ＣＰＵ４１０は、そのデータをＲＡＭ４４６あるいはフラッシュメモリ４４４に格納する。他の局面において、ＣＰＵ４１０は、その抽出したデータに基づいて特徴量を算出する。特徴量もフラッシュメモリ４４４、ＲＡＭ４４６などに格納される。
【００５６】
フラッシュメモリ４４４は、携帯電話１００によって受信されたデータとＣＰＵ４１０によって生成されたデータとを格納する。格納されるデータは、携帯電話１００がリモコン端末として機能した場合における制御信号の履歴、制御の対象となる装置（たとえばテレビ１１０）その他の装置を識別するデータ、テレビ１１０などから受信した信号に含まれる情報（たとえばサービス提供サーバ１２０その他の情報提供装置を特定するＵＲＬなど）を含む。
【００５７】
また、他の局面において、フラッシュメモリ４４４は、サービス提供サーバ１２０にアクセスした履歴を格納してもよい。当該履歴は、たとえば、サイトＩＤとアクセス日時とを含む。
【００５８】
ＲＡＭ４４６は、ＣＰＵ４１０によって生成されたデータを一時的に保持する。一時的に保持されるデータは、たとえばディスプレイ４５０に画像を表示するためのデータを含む。
【００５９】
データ用ＲＯＭ４４８は、携帯電話１００を構成するために予め入力されたデータを格納する。当該データは、たとえば、携帯電話１００に固有な製造番号、ＣＰＵ４１０が実行するファームウェア、アプリケーションプログラムその他のソフトウェア等を含む。
【００６０】
メモリカード駆動装置４８０は、ＣＰＵ４１０による指令に従って、装着されているメモリカード４８２にアクセスし、メモリカード４８２にデータを書き込む。他の局面において、メモリカード駆動装置４８０は、ＣＰＵ４１０からの指令に従って、メモリカード４８２からデータを読み出す。
【００６１】
マイク４７２は、携帯電話１００に対する発話を受け付けて、当該発話に応じた信号を音声信号処理回路４７０に送出する。スピーカ４７４は、音声信号処理回路４７０から出力される信号に基づいて音声を出力する。音声信号処理回路４７０は、ＣＰＵ４１０から出力されるデジタルデータを音声信号に変換する。他の局面において、音声信号処理回路４７０は、マイク４７２によって与えられる音声信号をデジタルデータに変換し、ＣＰＵ４１０にそのデータを出力する。
【００６２】
ディスプレイ４５０は、カメラ４４０によって撮影された被写体の画像を表示する。当該画像は、たとえば携帯電話１００の使用者を認証するために取得された画像を含む。他の局面において、ディスプレイ４５０は、受信部４０４によって受信された信号に基づいて画像を表示する。このとき表示される画像は、たとえばテレビ１１０に表示される画面の一部でもあり得る。たとえば、テレビ１１０がサービス提供サーバ１２０にアクセスしようとしている場合に要求されるユーザＩＤとパスワードとを入力するための画面が表示される。
【００６３】
ＬＥＤ４７６は、ＣＰＵ４１０から出力されるデータに基づいて発光する。ＬＥＤ４７６は、１色の発光素子のみからなってもよいし、各色の発光素子（たとえばＲＧＢ（Red Green Blue））から構成されてもよい。
【００６４】
データ通信ＩＦ４７８は、携帯電話１００に対するケーブル（図示しない）の装着を受け付けて、当該ケーブルを介してデータの通信を行なう。データ通信ＩＦ４７８は、たとえばＵＳＢ（Universal Serial Bus）ケーブルその他の通信規格に従うケーブルの装着を受け付ける。
【００６５】
バイブレータ４８４は、ＣＰＵ４１０から出力されるデータに基づいて予め規定された周期または振動パターンで振動する。
【００６６】
次に、図５を参照して、携帯電話１００のデータ構造について説明する。図５は、携帯電話１００が備えるフラッシュメモリ４４４におけるデータの格納の一態様を概念的に表わす図である。フラッシュメモリ４４４は、データを格納するための複数のメモリ領域を含む。まず、携帯電話１００を識別するための機器ＩＤがフラッシュメモリ４４４に格納されている。次に、携帯電話１００をリモコン端末として機能させるためのアプリケーションプログラムがそのバージョン（０１０．０３ａ）とともに格納されている。各データ項目にはステータス（メモリ領域５３０）が割り当てられる。たとえば、「リモコンアプリ」の場合、ステータスはＯＮに設定されている。このことは、携帯電話１００はリモコンアプリケーションプログラムを実行してリモコン端末として機能できる状態にあることを表わす。
【００６７】
次に制御機能（Control  １）は、楽曲として第１番目から第２５番目の曲を指示することができる機能を有する。しかしながら、図５に示される例では、現在ステータスがＯＦＦに設定されているため、当該制御機能は携帯電話１００では実現することができない。
【００６８】
次に、制御機能（Control  ２）は、第１番目から第２０番目の音楽を指定できることを表わす。この機能も、ステータスがＯＦＦに設定されているため、携帯電話１００はこの機能を実現することができない。
【００６９】
次に、制御機能（Control  ３）に関し、バイブレータ４８４の機能として５つのパターンが規定されている。この機能は、ステータスがＯＮに設定されている。したがって、携帯電話１００は、バイブレータ４８４に対し５種類の振動パターンを実現することができる。
【００７０】
次に制御機能（Control  ４、Control  ５）に関し、携帯電話１００の備える２つのＬＥＤについていずれもステータスがＯＮに設定されている。この場合、携帯電話１００は２つのＬＥＤを有する場合には、各ＬＥＤごとに規定された点滅パターンを実現することができる。
【００７１】
次に、制御機能（Control  ６）に関し、スピーカはステータスをＯＦＦに設定されている。したがって、このステータスがＯＮに切り換わらない場合、携帯電話１００はスピーカ４７４を介して音を出力できない。たとえば、携帯電話１００の動作モードがいわゆるマナーモードである場合に相当する。
【００７２】
次に、カメラ４４０についての機能は、制御機能（Control７から１０）に規定されている。この場合、第１の動作モード（静止画撮影）と第２の動作モード（動画撮影）と第３の動作モード（バーコード）について、各ステータスはＯＮに設定されている（Control  ７、８、９）。一方、第４の動作モード（顔認証）については、ステータスがＯＦＦに設定されている（Control  １０）。したがって、現状は、携帯電話１００のカメラ４４０による顔認証機能を使用することはできない。
【００７３】
同様に、指紋認証に関し、ステータスはＯＦＦ（Control  １１）に設定されている。非接触ＩＤ機能（いわゆる「お財布携帯」）のステータスは、ＯＮに設定されている（Control  １２）。したがって、携帯電話１００を使用した金銭の支払が可能である。また、ＬＣＤ（Liquid Crystal Display）のテロップ表示機能は、そのステータスがＯＮに設定されている（Control  １３）。したがって、ディスプレイ４５０にいてテロップの表示は可能である。
【００７４】
図５を再び参照して、フラッシュメモリ４４４は、携帯電話１００に処理を実行させるための複数のプログラムも格納している。より具体的には、携帯電話１００による音声通話を制御するためのプログラムは、メモリ領域５４０に格納されている。メモリ領域５１０から５３０に格納されている機器情報を送信するためのテーブル送信プログラムは、メモリ領域５５０に格納されている。携帯電話１００をリモコン端末として機能させるためのリモコンアプリケーションは、メモリ領域５６０に格納されている。携帯電話１００に対する入力に基づいてサービス提供サーバ１２０にアクセスするための認証情報を取得するプログラムは、メモリ領域５７０に格納されている。携帯電話１００における基本的な動作を実行するためのファームウェアは、メモリ領域５８０に格納されている。携帯電話１００の使用者を特定する教示データは、メモリ領域５９０に格納されている。教示データは、顔画像、指紋、声紋などの生体情報、あるいはこれらの生体情報に基づいて算出された特徴量等である。
【００７５】
フラッシュメモリ４４４に格納されているデータおよびプログラムは、携帯電話１００に対する入力に従って変更可能である。たとえば、ステータス（メモリ領域５３０）の変更は、操作ボタン４２０、データ通信ＩＦ４７８、受信部４０４によって受信される信号などによって切換可能である。また、上記のように、Control  １〜１３として特定されるような制御機能の追加、削除、設定の変更は、上記のようにして与えられるデータに基づいて、追加、削除、競っての変更等も変更することもできる。
【００７６】
次に、図６を参照して、携帯電話１００によって発信される信号６００について説明する。図６は、携帯電話１００からテレビ１１０に対して発信される信号６００の構成を表わす図である。信号６００は、開始ビット６１０と、制御データ６２０と、終了ビット６３０とを含む。制御データ６２０は、たとえば携帯電話１００が有する機能を格納した端末管理テーブル（図５におけるメモリ領域５１０から領域５３０）を含む。端末管理テーブルは、携帯電話１００を識別する機器ＩＤ（０１２３４５６７８９）を有する。
【００７７】
テレビ１１０が信号６００を受信すると、ＣＰＵ８１０は、信号６００から制御データ６２０を抽出する。さらに、ＣＰＵ８１０は、制御データ６２０から端末管理テーブルを抽出する。ＣＰＵ８１０は、そのテーブルに基づいて携帯電話１００が有する制御機能を検出する。たとえば、図５に示されるデータ構造を有する端末管理テーブルが携帯電話１００によってテレビ１１０に向けて発信されると、テレビ１１０は、携帯電話１００がカメラ４４０による顔認証機能を実現できないことを検知する。
【００７８】
次に、図７を参照して、本実施の形態に係るテレビ１１０について説明する。図７は、テレビ１１０によって実現される機能の構成を表わすブロック図である。テレビ１１０は、微弱電波受信部７１０と、リモコン信号受信部７２０と、ネットワーク受信部７３０と、コンテンツデータ記憶部７４０と、放送信号受信部７５０と、制御部７６０と、リモコン信号発信部７７０と、ネットワーク送信部７８０と、表示部７９０とを備える。制御部７６０は、端末監視部７６１と、認証手段判断部７６２と、認証情報要求部７６３と、認証処理部７６４と、データ処理部７６５とを含む。
【００７９】
微弱電波受信部７１０は、携帯電話１００によって発信された電波を受信する。たとえば、携帯電話１００が自己の存在を基地局に対して通知するために発信される信号は、微弱電波受信部７１０によって受信される。微弱電波受信部７１０は、その信号の受信を検知すると、検知を表わす信号を制御部７６０に送出する。たとえば携帯電話１００がテレビ１１０について予め規定された範囲（たとえば、テレビ１１０から半径数メートル）に存在する場合、携帯電話１００によって発信された信号は、微弱電波受信部７１０によって受信される。
【００８０】
リモコン信号受信部７２０は、テレビ１１０の動作を制御するために発信されるリモコン信号を受信する。リモコン信号は、赤外線信号、ブルートゥース（登録商標）に基づく信号等を含むが、これらに限られない。リモコン信号受信部７２０は、その信号の受信を検知すると、その信号に含まれる制御コードを取り出し、制御部７６０にそのコードを送出する。制御部７６０がそのコードに基づく制御を実行すると、テレビ１１０は、リモコン信号によって発信された制御コードに基づく動作を実行する。
【００８１】
ネットワーク受信部７３０は、インターネット１３０に接続されるサービス提供サーバ１２０から発信された信号を受信する。ネットワーク受信部７３０は、ゲートウェイ装置（図示しない）に接続されて、周知の通信プロトコルによって発信されたデータを受信する。ネットワーク受信部７３０は、そのデータをコンテンツデータ記憶部７４０に格納する。また、他の局面において、ネットワーク受信部７３０は、受信したデータに含まれる制御データを制御部７６０に送出する。制御部７６０は、そのデータに基づいてそのデータに含まれるデータ項目によって特定される処理を実行する。具体的な処理は、後述するデータ処理部７６５によって実現される。
【００８２】
放送信号受信部７５０は、テレビ１１０に接続されるアンテナによって受信されたテレビジョン放送信号の入力を受け付ける。放送信号受信部７５０は、指定されたチャンネルに応じた周波数に同調して、放送信号からそのチャンネルに対応する信号を受信し、その信号を制御部７６０に送出する。制御部７６０がその信号に基づいて表示処理を実行すると、テレビ１１０は、ディスプレイにその信号に基づく映像を表示する。
【００８３】
制御部７６０において、端末監視部７６１は、微弱電波受信部７１０によって送出された信号に基づいて、テレビ１１０の近傍（たとえばテレビ１１０が設置されている部屋）に携帯通信端末（たとえば携帯電話１００）が存在するか否かを判定する。端末監視部７６１は、その範囲に携帯電話１００が存在することを検知すると、その検知の結果を表わす信号を認証手段判断部７６２に送出する。
【００８４】
認証手段判断部７６２は、テレビ１１０が受信した信号に基づいて、その信号の発信源である携帯通信端末が有する認証手段の種類を特定する。ある局面において、認証手段判断部７６２は、携帯電話１００によって発信された微弱電波に基づいて、その携帯電話が有する認証手段の種類を特定する。認証手段は、カメラ、指紋センサ、文字入力、音声認識などを含むが、他の認証機能が使用されてもよい。他の局面において、認証手段判断部７６２は、テレビ１１０に向けて発信されたリモコン信号に含まれるデータに基づいて、そのリモコン信号の発信源が有する認証手段を特定する。認証手段判断部７６２は、その特定の結果を認証情報要求部７６３に送出する。
【００８５】
認証情報要求部７６３は、認証手段判断部７６２による判断の結果に基づいて、認証情報を要求するための信号を生成する。認証情報要求部７６３は、その生成した信号をリモコン信号発信部７７０に送出する。リモコン信号発信部７７０は、その信号をテレビ１１０が発する制御信号（たとえば赤外線信号）として発信する。赤外線信号を受信可能な携帯通信端末（たとえば携帯電話１００）がテレビ１１０の近傍に存在する場合、リモコン信号発信部７７０によって発信された信号は、携帯電話１００によって受信される。携帯電話１００は、その信号に基づいて自己が有する認証手段に対応する認証情報が要求されていることを検知する。
【００８６】
認証処理部７６４は、リモコン信号受信部７２０からの出力に基づいて、その信号に含まれる認証情報が正当なものであるか否かを判定する。より具体的には、認証処理部７６４は、その認証情報をパケットに変換し、ネットワーク送信部７８０を介して当該認証情報を要求する情報提供装置（たとえばサービス提供サーバ１２０）と通信する。サービス提供サーバ１２０は、テレビ１１０から送信された当該認証情報とサービス提供サーバ１２０において予め登録されている認証情報とを比較し、これらの認証情報が一致するか否かを判定する。これらの認証情報が一致する場合には、サービス提供サーバ１２０は、テレビ１１０によるアクセスを正当なものであると判定し、その結果をテレビ１１０に送信する。ネットワーク受信部７３０がその結果を受信すると、制御部７６０は、リモコン信号受信部７２０によって受信された信号に含まれる認証情報（すなわち携帯電話１００の使用者が送信した認証情報）はアクセスのために正当な情報であることを表わすデータを生成する。制御部７６０は、そのデータに基づく結果を表示部７９０に表示する。
【００８７】
データ処理部７６５は、テレビ１１０に対して与えられたデータに基づいて、あるいはコンテンツデータ記憶部７４０に格納されているデータを用いて、表示部７９０に画像を表示するためのデータ処理を実行する。当該データ処理は、たとえば、認証情報の送信を要求するための画面を表示する処理、表示される画面の画質を変更する処理、ネットワーク送信部７８０に対して送られるパケットデータの生成などを含む。他の局面において、データ処理部７６５は、リモコン信号発信部７７０によって発信される制御信号を生成する。
【００８８】
リモコン信号発信部７７０は、制御部７６０からの出力に基づいて、微弱電波を発信する。信号発信部７７０は、たとえばブルートゥース（登録商標）に従う信号を発信する。なお、発信される信号は、ブルートゥース（登録商標）に従うものに限られず、他の態様であってもよい。たとえば赤外線信号が発信されてもよい。
【００８９】
ネットワーク送信部７８０は、ゲートウェイ装置（図示しない）に接続されて、インターネット１３０に接続される他の情報通信装置（たとえばサービス提供サーバ１２０）と通信する。ネットワーク送信部７８０は、制御部７６０から出力されるデータにＩＰ（Internet Protocol）ヘッダなどを付与してパケットを生成し、そのパケットをインターネット１３０に向けて送信する。
【００９０】
表示部７９０は、制御部７６０からの出力に基づいて画像を表示する。表示部７９０は、液晶ディスプレイ、有機ＥＬ（Electro Luminescence）デバイスなどにより実現される。
【００９１】
次に、図８を参照して、テレビ１１０の具体的構成について説明する。図８は、テレビ１１０のハードウェア構成を表わすブロック図である。テレビ１１０は、受信部８０６と、操作部８０８と、ＣＰＵ８１０と、外部入力部８０４と、チューナ８１４と、切換回路８１６と、信号処理回路８２０と、表示ドライバ８２８と、ディスプレイ８３０と、アンプ８３６ａ，８３６ｂと、スピーカ８４０ａ，８４０ｂと、記憶装置８６０とを備える。チューナ８１４は、アンテナ８０２に接続される。ＣＰＵ８１０は、メモリ８１２を含む。信号処理回路８２０は、分離回路８２２と、ＯＳＤ（On Screen Display）回路８２４とを含む。
【００９２】
アンテナ８０２によって受信された信号はチューナ８１４に送出される。チューナ８１４は、ＣＰＵ８１０からの指令に基づいて指定されたチャンネルを選局する。チューナ８１４によって選択された信号は、切換回路８１６に送出される。
【００９３】
外部入力部８０４は、テレビ１１０の外部から信号の入力を受け付ける。外部入力部８０４は、その信号を切換回路８１６に送出する。
【００９４】
切換回路８１６は、ＣＰＵ８１０からの指令に基づいて、信号の入力源をチューナ８１４と外部入力部８０４との間で切り換える。切換回路８１６から出力される信号は、信号処理回路８２０に入力される。
【００９５】
受信部８０６は、テレビ１１０の動作を制御するための制御信号を受信する。受信部８０６は、たとえば赤外線信号を受信する。他の局面において、受信部８０６は、ブルートゥース（登録商標）に従う信号を受信してもよい。受信部８０６によって受信された信号は、ＣＰＵ８１０に送出される。
【００９６】
操作部８０８は、テレビ１１０に対する指示入力を受け付ける。操作部８０８は、たとえばテレビ１１０の筐体の前面に設けられたボタン、タッチパネルなどにより実現される。
【００９７】
通信Ｉ／Ｆ８７０は、テレビ１１０に接続されるインターネット１３０を介して他の情報通信装置（たとえばサービス提供サーバ１２０）と通信する。通信Ｉ／Ｆ８７０は、テレビ１１０の外部から受信した信号をＣＰＵ８１０に送出する。逆に、通信Ｉ／Ｆ８７０は、ＣＰＵ８１０によって与えられたデータをインターネット１３０に向けて送出する。
【００９８】
ＣＰＵ８１０は、テレビ１１０に予め格納されているデータおよびプログラムと、テレビ１１０に対して外部から与えられた命令とに基づいて、テレビ１１０について予め規定された動作を実行する。より具体的には、ＣＰＵ８１０は、リモコン端末として機能する携帯電話１００によって発信された制御信号に基づいて、チューナ８１４に対してチャンネルを選択する命令を送出する。
【００９９】
他の局面において、ＣＰＵ８１０は、信号の入力源を切換回路８１６に対して切り換えさせる。また、ＣＰＵ８１０は、情報処理装置として、通信Ｉ／Ｆ８７０を介して他の情報通信装置と通信する。より具体的には、ＣＰＵ８１０は、特定のサービスサイトにアクセスするためのアクセス要求を生成し、サービス提供サーバ１２０との間で通信セッションを形成する。ＣＰＵ８１０は、サービス提供サーバ１２０から認証情報の送信要求を受信した場合には、テレビ１１０に予め格納されている認証情報を送信する。また、この場合テレビ１１０に認証情報が格納されていない場合には、認証情報の要求信号を生成し、発信部８１６を介して、その信号を微弱電波として発信する。携帯電話１００がその信号を受信すると、サービスサイトにアクセスするために認証情報が求められていることを検知する。
【０１００】
信号処理回路８２０は、ＣＰＵ８１０によって与えられる命令に基づいて、切換回路８１６から出力された画像信号を映像信号と音声信号とに分離して出力する。より具体的には、信号処理回路８２０において、分離回路８２２は、ＣＰＵ８１０からの命令に従って、音声信号と映像信号とを含む放送信号を映像信号と音声信号とに分離する。映像信号は、ＯＳＤ回路８２４に入力される。音声信号は、アンプ８３６ａ，８３６ｂに送出される。
【０１０１】
ＯＳＤ回路８２４は、ＣＰＵ８１０からの指令に基づいて、その映像信号にさらに文字情報その他の情報を付加し、合成された信号を出力する。  ＯＳＤ回路８２４によって付加される画像は、たとえばディスプレイ８３０に表示されるチャンネル番号、メモリ８１２において予め準備されているデータに基づくメッセージ、テレビ１１０がインターネット１３０を介して接続しているインターネットサイトのＵＲＬ、そのサイトの名称等を含む。出力された合成信号は、表示ドライバ８２８に入力される。
【０１０２】
表示ドライバ８２８は、ＯＳＤ回路８２４から与えられた信号を、ディスプレイ８３０の規格に従う形式に変換し、変換後の信号をディスプレイ８３０に送出する。ディスプレイ８３０は、その信号に基づいて画像を表示する。表示される画像は、チューナ８１４によって受信されたテレビジョン放送信号に基づく画像と、外部入力部８０４を介して入力されたデータに基づく画像と、通信Ｉ／Ｆ８７０によって受信されたデータに基づく画像とを含む。
【０１０３】
アンプ８３６ａ，８３６ｂは、ＣＰＵ８１０によって与えられる命令に基づいて、分離回路８２２から送られた音声信号を増幅し、増幅後の信号をスピーカ８４０ａ，８４０ｂにそれぞれ送出する。スピーカ８４０ａ，８４０ｂは、その信号に基づいて音声を出力する。
【０１０４】
記憶装置８６０は、テレビ１１０に与えられたデータを不揮発的に格納する。記憶装置８６０は、たとえば、ハードディスク、フラッシュメモリなどの固定記憶装置として実現される。また他の局面において、記憶装置８６０は、メモリカード、ＤＶＤ（Digital Versatile Disc）その他の着脱可能な記録媒体としても実現され得る。さらに、記憶装置８６０は、後述するように、テレビ１１０を制御するリモコン端末に固有なデータを格納する。
【０１０５】
そこで、図９を参照して、本実施の形態に係るテレビ１１０のデータ構造について説明する。図９は、記憶装置８６０におけるデータの格納の一態様を概念的に表わす図である。記憶装置８６０は、データを格納するための複数のメモリ領域を含む。
【０１０６】
より具体的には、機器ＩＤは、メモリ領域９１０に格納されている。機器ＩＤは、テレビ１１０を制御するリモコン端末を識別する。サイトＩＤは、メモリ領域９１２に格納されている。サイトＩＤは、テレビ１１０がインターネット１３０を介して接続する情報提供装置（たとえばサービス提供サーバ１２０）などによって運営されるサービスサイトを識別する。サイトＩＤは、たとえばＵＲＬが使用されるが、テレビ１１０がユニークに付する番号であってもよい。テレビ１１０は、サイトＩＤを用いてサービス提供サーバ１２０との間で通信セッションを形成する。
【０１０７】
当該サービスサイトによって割り当てられたユーザＩＤは、メモリ領域９１４に格納されている。パスワードは、メモリ領域９１６に格納されている。
【０１０８】
図９に示される一例では、テレビ１１０が機器ＩＤ（０１２３４５６７８９）を有するリモコン端末によって制御される場合、テレビ１１０は、サイトＩＤ（ｗｗｗ．ａｂｃ．ｃｏ．ｊｐ）を有する。そのユーザＩＤは、「ＵＳＥＲ１２３４」である。そのときに使用されるパスワードは、「ａａａａａ１２３４」である。また、テレビ１１０は、複数のリモコン端末によって制御可能である。より具体的には、機器ＩＤとして「ａｑｕｏｓ−ｍｏｂｉｌｅ」を有するリモコン端末（メモリ領域９１０）についてのデータも同様に保持される。
【０１０９】
テレビ１１０を制御するリモコン端末について予め登録された認証データは、メモリ領域９２０から９２４に格納される。より具体的には、機器ＩＤは、メモリ領域９２０に格納される。このデータは、メモリ領域９１０に格納される機器ＩＤと重複するものもある。その機器ＩＤを有するリモコン端末がＣＣＤカメラその他の撮像手段を有する場合において顔画像によって認証する場合には、その画像データは、メモリ領域９２２に格納される。当該画像データは、撮影によって生成されたデータに加えて、そのデータを処理した後のデータであってもよい。
【０１１０】
さらに、認証情報として他のデータが使用される場合、そのデータはメモリ領域９２４に格納される。たとえば、撮影された画像データに基づいて特徴量が算出されている場合には、その特徴量は、教示データとしてメモリ領域９２４に格納される。各リモコン端末について認証情報として格納されるデータ項目は、図９に示されるものに限られない。また、すべての端末が同一の種類の認証情報を使用するものでなくてもよい。たとえば、一方のリモコン端末が画像データに基づく認証情報を使用し、他の端末が特徴量に基づく認証情報を使用するものであってもよい。
【０１１１】
記憶装置８６０は、さらに、テレビ１１０に予め規定された処理を実行させるためのプログラムを格納している。より具体的には、テレビ１１０がインターネット１３０を経由した通信を行うためのネットワーク通信プログラムは、メモリ領域９３０に格納されている。テレビ１１０が携帯通信端末と通信するためのプログラムは、メモリ領域９４０に格納されている。たとえば、認証情報の要求を送信する処理は、このプログラムによって実現される。テレビ１１０における基本的な動作（たとえば信号処理、画像処理など）を実現するためのファームウェアは、メモリ領域９５０に格納されている。これらのプログラムは、テレビ１１０の製造時に予め格納される。また、これらのプログラムは、通信Ｉ／Ｆ８７０を介して変更可能であってもよい。あるいは、新たなプログラムは、通信Ｉ／Ｆ８７０を介して追加可能であってもよい。
【０１１２】
次に、図１０を参照して、テレビ１１０と携帯通信端末との通信について説明する。図１０は、テレビ１１０によって発信される信号１０００の構成を概念的に表わす図である。信号１０００は、開始ビット１０１０と、制御コード１０２０と、終了ビット１０３０とを含む。
【０１１３】
開始ビット１０１０は、信号１０００の先頭を表わす。制御コード１０２０は、信号１０００の受信者（たとえば携帯電話１００）に対する要求を含む。より具体的には、制御コード１０２０は、カメラ認証の要求を含む。この場合、携帯電話１００はカメラを有していることが前提となる。制御コード１０２０の内容は、記憶装置８６０に格納されている画像データ（メモリ領域９２２）の有無に基づいて規定される。たとえば、信号１０００を受信する携帯通信端末がカメラを有さない場合には、制御コード１０２０は、「カメラ認証の要求」に代えて、ユーザＩＤおよびパスワードの要求を含むことになる。終了ビット１０３０は、信号１０００の終了を表わす。ある局面において、信号１０００は、赤外線信号、ブルートゥース（登録商標）に従う信号として、発信部８１６によって発信される。
【０１１４】
次に、図１１から図１３を参照して、本実施の形態に係るコンテンツ出力システム１０の制御構造について説明する。図１１は、携帯電話１００とテレビ１１０とが実行する一連の動作の一部を表わすフローチャートである。
【０１１５】
ステップＳ１１１０において、テレビ１１０は、いわゆるスタンバイ状態である。より具体的には、テレビ１１０はコンセントから電力の供給を受けている。テレビ１１０は、メインスイッチはオフになっているが、リモコン端末によって発信される信号を受信可能な状態にある。
【０１１６】
ステップＳ１１１２にて、携帯電話１００は、テレビ１１０による信号を受信可能な範囲に存在する。ステップ１１２０にて、携帯電話１００は、テーブル情報を送信する。このテーブル情報は、たとえば、メモリ領域５１０から５３０に格納されるデータを含む。携帯電話１０００は、操作ボタン４２０に対する押下操作を検知したときに、当該テーブル情報をリモコン信号発信部４６０を介して送信する。
【０１１７】
携帯電話１００がテレビ１１０による受信可能な範囲に存在する場合には、テレビ１１０は、そのテーブル情報を受信する（ステップＳ１１２２）。より具体的には、テレビ１１０は、受信部８０６を介してそのテーブル情報の受信を検知する。受信されたテーブル情報は、メモリ８１２に一時的に格納される。
【０１１８】
ステップＳ１１２４にて、ＣＰＵ８１０は、そのテーブル情報を解析する。より具体的にはそのテーブル情報を構成するデータ項目を取得し、携帯電話１００が有する機能を特定する。たとえば図５に示されるデータ（メモリ領域５１０から５３０）を有するテーブル情報が送信された場合、携帯電話１００は認証手段として、カメラ１からカメラ４、指紋センサ機能を有することを検知する。さらに、ＣＰＵ８１０は、認証手段として、実際に利用可能な状態にあるもの（すなわち、動作が有効であると設定されているもの）は、静止画、動画、バーコードであることを検知する（Control  ７〜Control  ９）。
【０１１９】
ステップＳ１１３０にて、テレビ１１０のＣＰＵ８１０は、テレビ１１０の電源をＯＮにする指示信号を生成し、発信部８１６を介してその信号を発信する。ステップＳ１１３２にて、携帯電話１００は、受信部４０４を介してテレビ１１０によって発信された信号を受信する。ＣＰＵ４１０は、その信号に含まれる表示情報（電源ＯＮ）を取得し、ディスプレイ４５０に対してそのデータに基づく画像を表示させる。
【０１２０】
ステップＳ１１４０にて、ＣＰＵ４１０は、操作ボタン４２０から出力される信号に基づいて、テレビ１１０に対する電源の操作があったか否かを判定する。ＣＰＵ４１０は、その操作があったと判定すると（ステップＳ１１４０にてＹＥＳ）、制御をステップＳ１１５０に切り換える。そうでない場合には（ステップＳ１１４０にてＮＯ）、ＣＰＵ４１０は、制御をステップＳ１１６０に切り換える。
【０１２１】
ステップＳ１１５０にて、ＣＰＵ４１０は、操作ボタン４２０から出力された電源ＯＮの指示に基づいて、テレビ１１０の電源をＯＮにする命令を有する制御コードを生成し、その生成した信号をリモコン信号発信部４６０を介して発信する。ステップＳ１１５２にて、ＣＰＵ４１０は、フラッシュメモリ４４４に格納されているアプリケーションプログラムを実行し、携帯電話１００をテレビ１１０のリモコン端末として機能させるためのプログラム（いわゆる「リモコンアプリ」）を実行する。このプログラムが実行されると、携帯電話１００は、テレビ１１０のリモコン端末としてたとえばチャンネルの選局、音量のアップおよびダウンなどの命令を与えることができる。また、ある局面において、テレビ１１０を介したインターネット通信を行なうための操作が可能となる。この場合の処理の一例は、図１２において詳述する。
【０１２２】
ステップＳ１１５４にて、テレビ１１０のＣＰＵ８１０は、携帯電話１００によって発信された制御信号（すなわち、電源ＯＮの制御コードを有する信号）に基づいて、電力の供給を受けるスイッチを切り換える。ステップＳ１１６０にて、テレビ１１０は、受信部８０６あるいは操作部８０８からの出力に基づいて、電源をＯＮする指示があったか否かを判定する。この処理は、テレビ１１０の電源がＯＮにされていない間、継続して実行される。ＣＰＵ８１０は、電源のＯＮの指示があったと判定すると（ステップＳ１１６０にてＹＥＳ）、制御をステップＳ１１６２に切り換える。そうでない場合には（ステップＳ１１６０にてＮＯ）、ＣＰＵ８１０は、制御をステップＳ１１７０に切り換える。
【０１２３】
ステップＳ１１６２にて、ＣＰＵ８１０は、電源スイッチ（図示しない）に命令を送出することにより、テレビ１１０の電源をＯＮに切り換える。なおこの処理は、携帯電話１００以外の他のリモコン端末（たとえばテレビ１１０が有する付属品としてのリモコン端末などによって指示が入力された場合に実行される。
【０１２４】
ステップＳ１１７０にて、ＣＰＵ８１０は、テレビ１１０に対して与えられる入力に基づいて他の機器の接続があったか否かを判定する。テレビ１１０に対して与えられる入力は、外部入力部８０４によって受け付けられる信号と、通信Ｉ／Ｆ８７０によって受信される信号と、受信部８０６によって受信されるリモコン信号とのいずれかを含む。
【０１２５】
ＣＰＵ８１０は、他の機器の接続があったと判定すると（ステップＳ１１７０にてＹＥＳ）、制御をステップＳ１１２２に戻す。そうでない場合には（ステップＳ１１７０にてＮＯ）、ＣＰＵ８１０は処理を終了する。
【０１２６】
図１１に示される処理が実行されると、テレビ１１０のメイン電源が入り、ＣＰＵ８１０による処理の実行が可能な状態となる。より具体的には、テレビ１１０は、チューナ８５４から取得された信号に基づく映像を表示できる。また、他の局面において、テレビ１１０は、情報提供サーバ１２０との間で通信セッションを形成し、情報提供サーバ１２０との間で通信することができる。一方、携帯電話１００は、電話の待受け状態を維持しつつ、テレビ１１０のリモコン端末として機能できる。
【０１２７】
図１２は、携帯電話１００とテレビ１１０とサービス提供サーバ１２０との間で行なわれる一連の動作を表わすフローチャートである。
【０１２８】
ステップＳ１２１０にて、携帯電話１００のＣＰＵ４１０は、操作ボタン４２０からの出力に基づいて、携帯電話１００がリモコン端末として利用されていることを検知する（ステップＳ１１５２に相当）。ＣＰＵ４１０は、操作ボタン４２０からの出力に基づいて、制御コードを生成し、リモコン信号発信部４６０を介してそのコードを有する信号（たとえば赤外線信号、ブルートゥース（登録商標）に従う信号）を発信する。制御コードは、たとえばテレビ１１０にインターネット１３０を介してサービス提供サーバ１２０に対するアクセスを命令するコードを含む。
【０１２９】
ステップＳ１２１２にて、テレビ１１０は、受信部８０６からの出力に基づいて、携帯電話１００によって発信された制御信号の受信を検知する。ＣＰＵ８１０は、その信号からインターネット１３０に対する接続要求を取得し、通信Ｉ／Ｆ８７０を介してサービス提供サーバ１２０に接続する。ＣＰＵ８１０は、通信Ｉ／Ｆ８７０を介して受信したデータに基づいて、サービス提供サーバ１２０によって提供されるサービスサイトの一覧をサービスメニューとして表示する。サービスメニューは、ディスプレイ８３０に表示される。
【０１３０】
ステップＳ１２１４にて、ＣＰＵ８１０は、携帯電話１００によって発信された制御信号を受信したことに基づいて、サービスメニューに含まれるコンテンツの選択が行なわれたことを検知する。ＣＰＵ８１０は、その選択を検知すると、当該コンテンツを特定するデータとアクセス要求とを有するパケットを生成し、そのパケットを通信Ｉ／Ｆ８７０を介してインターネット１３０に送出する。そのパケットがサービス提供サーバ１２０によって受信されると、サービス提供サーバ１２０は、テレビ１１０から送られたパケットが正当な使用者によるものであるか否かを判定する。
【０１３１】
ステップＳ１２１６にて、サービス提供サーバ１２０のＣＰＵ（図示しない）は、テレビ１１０によって選択されたコンテンツに対してアクセスするために予め登録されたユーザＩＤとパスワードとの送信要求を生成し、その要求をテレビ１１０に送信する。テレビ１１０は、通信Ｉ／Ｆ８７０を介してその要求を受信したことを検知する。
【０１３２】
ステップＳ１２２０にて、ＣＰＵ８１０は、携帯電話１００によって予め送信されたテーブル情報（ステップＳ１１２２、図５におけるメモリ領域５２０，５３０）に基づいて、携帯電話１００が認証手段を有するか否かを判定する。ＣＰＵ８１０は、携帯電話１００が認証手段を有していると判定すると（ステップＳ１２２０にてＹＥＳ）、制御をステップＳ１３００に切り換える。そうでない場合には（ステップＳ１２２０にてＮＯ）、ＣＰＵ８１０は、制御をステップＳ１２３０に切り換える。
【０１３３】
ステップＳ１２３０において、ユーザＩＤとパスワードとの入力が通常の入力として行なわれる。すなわち、操作ボタン４２０に対する操作が携帯電話１００の使用者によって行なわれる。より具体的には、ステップＳ１２３２にて、携帯電話１００は、テレビ１１０によって発信される入力要求を受信したことを検知する。ＣＰＵ４１０は、受信部４０４から出力されるデータに基づいてそのことを検知する。ＣＰＵ４１０は、その検知に応答して、選択されたコンテンツ（ステップＳ１２１４）において予め登録されたユーザＩＤとパスワードとの入力を促す画面をディスプレイ４５０に表示する。ステップＳ１２３４にて、ＣＰＵ４１０は、操作ボタン４２０からの出力に基づいて、入力が促されたユーザＩＤとパスワードとが使用者によって入力されたことを検知する。ＣＰＵ４１０は、そのユーザＩＤとパスワードとを有する制御信号を生成し、リモコン信号発信部４６０を介して発信する。
【０１３４】
ステップＳ１２３６にて、テレビ１１０は、受信部８０６からの出力に基づいて、携帯電話１００によって発信されたその制御信号を受信したことを検知する。ＣＰＵ８１０は、その信号からユーザＩＤとパスワードとを取得し、メモリ８１２に一時的に格納する。ＣＰＵ８１０は、これらのＩＤおよびパスワードを比較することにより、そのユーザＩＤとパスワードとがテレビ１１０において予め登録された通信端末から発信されたものであることを確認する。ユーザＩＤとパスワードとが正当なものであると確認されると、ＣＰＵ８１０は、そのデータに基づきパケットを生成する。ＣＰＵ８１０は、その生成したパケットを通信Ｉ／Ｆ８７０を介して送信する。このパケットは、そのＩＰアドレスに基づいてサービス提供サーバ１２０に送信される。
【０１３５】
サービス提供サーバ１２０は、そのパケットを受信すると、ハードディスクにおいて予め格納されている登録済みのユーザＩＤとパスワードとを参照して、テレビ１１０から送信されたユーザＩＤとパスワードとが正当なものであるか否かを判定する。すなわち、ステップ１２４０にて、サービス提供サーバ１２０のＣＰＵは、テレビ１１０によるアクセスが正当なものであるか否かを判定する。当該ＣＰＵは、そのアクセスが正当なものであると判定すると（ステップＳ１２４０にてＹＥＳ）、制御をステップＳ１２５０に切り換える。そうでない場合には、（ステップＳ１２４０にてＮＯ）、当該ＣＰＵは、テレビ１１０によって送信されたユーザＩＤおよびパスワードの少なくともいずれかが誤っていることを表わすデータを生成し、そのデータをテレビ１１０に送信する。その後、テレビ１１０は、ステップＳ１２２０に規定される処理を再び実行する。
【０１３６】
ステップＳ１２５０にて、サービス提供サーバ１２０のＣＰＵは、選択されたコンテンツ（ステップＳ１２１４）を配信する。たとえば、サービス提供サーバ１２０は、そのコンテンツデータをストリーム配信する。ステップＳ１２５２にて、ＣＰＵ８１０は、通信Ｉ／Ｆ８７０を介して受信した当該コンテンツに基づいてディスプレイ８３０にそのコンテンツを表示する。
【０１３７】
図１３を参照して、ステップＳ１３００にて、携帯電話１００が有する認証手段によるハードウェア認証処理が実行される。
【０１３８】
まず、ステップＳ１３１０にて、テレビ１１０のＣＰＵ８１０は、カメラ認証要求を生成し、その生成した信号を発信部８１６を介して発信する。携帯電話１００がテレビ１１０から発信される信号を受信可能な範囲に位置する場合には、そのような信号を受信することができる。ステップＳ１３１２にて、携帯電話１００は、受信部４０４を介して、カメラ認証要求を受信したことを検知する。ＣＰＵ４１０は、フラッシュメモリ４４４に格納されている認証情報取得プログラム（メモリ領域５７０）を実行することにより、カメラ認証アプリを起動する。
【０１３９】
ステップＳ１３１４にて、ＣＰＵ４１０は、操作ボタン４２０に対して与えられた撮影指示に基づいてカメラ４４０による撮影動作を実行する。カメラ４４０から出力される画像データは、ＲＡＭ４４６に一時的に格納される。ＣＰＵ４１０は、カメラ認証アプリに基づいてその画像信号を処理する。より具体的には、ＣＰＵ４１０は、画像信号の２値化処理、エッジ強調処理など予め規定された処理を実行する。ＣＰＵ４１０は、その処理によって得られたデータと、携帯電話１００の使用者として予め取得されていた教示データ（メモリ領域５９０）とを比較して、取得された画像が正当な使用者の画像であるか否かの認証を行なう。
【０１４０】
ステップＳ１３２０にて、ＣＰＵ４１０は、撮影を行なった使用者が携帯電話１００に予め登録された本人であるか否かを判定する。ＣＰＵ４１０は、その使用者が本人であると判定すると（ステップＳ１３２０にてＹＥＳ）、その認証結果を表わす信号をリモコン信号発信部４６０を介して発信する。この場合、処理はステップＳ１３３０に切り換えられる。一方、ＣＰＵ４１０は、その使用者が本人でないと判定すると（ステップＳ１３２０にてＮＯ）、制御をステップＳ１３７０に切り換える。
【０１４１】
ステップＳ１３３０にて、テレビ１１０のＣＰＵ８１０は、受信部８０６を介してその認証結果を受信したことに基づいて、記憶装置８６０に格納されている携帯電話１００の当該サービスについてのユーザＩＤとパスワードとを抽出し、メモリ８１２に格納する。ＣＰＵ８１０は、そのユーザＩＤとパスワードとをパケットに変換し、通信Ｉ／Ｆ８７０を介してサービス提供サーバ１２０に送信する。
【０１４２】
テレビ１１０によって送信されたパケットは、サービス提供サーバ１２０によって受信される。ステップＳ１３４０にて、サービス提供サーバ１２０のＣＰＵは、その受信したユーザＩＤおよびパスワードと、サービス提供サーバ１２０において既に登録されているユーザＩＤおよびパスワードとを比較することにより、テレビ１１０によるアクセスが正当なものであるか否かの認証を行なう。当該ＣＰＵは、そのアクセスが正当であると判定すると（ステップＳ１３４０にてＹＥＳ）、制御をステップＳ１３５０に切り換える。そうでない場合には（ステップＳ１３４０にてＮＯ）、当該ＣＰＵは、その結果を表わすパケットを生成し、テレビ１１０に送信する。テレビ１１０は、そのパケットを受信すると、そのパケットの内容を表わす信号を発信することにより、認証が失敗したことを携帯電話１００に通知する。なお、当該信号は、テレビ１１０に予め格納されているデータに基づいて生成される。あるいは、当該パケットの実データ部分に新たなヘッダを付与した新たなパケットが発信されてもよい。
【０１４３】
ステップＳ１３５０にて、サービス提供サーバ１２０は、配信が求められたコンテンツを記憶装置から読み出して、たとえばストリームデータとしてテレビ１１０に送信する。テレビ１１０は、通信Ｉ／Ｆ８７０を介してそのデータを受信し、そのデータに基づく映像をディスプレイ８３０に表示する（ステップＳ１３６０）。
【０１４４】
ステップＳ１３７０にて、携帯電話１００は、その他の処理を実行する。より具体的には、当該操作を行なった使用者が携帯電話１００の所有者でない場合について予め規定された処理を実行する。一例としては、携帯電話１００は、その後の操作を禁止するように、ＣＰＵ４１０に対する命令の入力を遮断する。
【０１４５】
以上のようにして、本実施の形態に係るコンテンツ出力システムによると、そのシステムを構成する携帯通信端末が有する認証手段（カメラ、指紋センサ、文字入力部、音声入力部）を特定するための情報を、そのシステムを構成するコンテンツ出力装置に送信する。コンテンツ出力装置は、その情報に基づいて、携帯通信端末によってアクセスが求められたサービスサイトが認証するために必要な認証情報の入力要求を、携帯通信端末に送信する。
【０１４６】
認証情報は、カメラ付携帯電話の場合には、画像データであり得る。指紋センサ付の携帯電話の場合には、指紋情報であり得る。あるいは、携帯電話の操作ボタンを使用して入力されるユーザＩＤおよびパスワードであり得る。他の局面においては、声紋を表わす情報が使用され得る。
【０１４７】
また、携帯電話１００が非接触式のＩＣ等を備えており、無線ＩＤ機能を実現可能な場合には、認証情報は、当該ＩＣその他のメモリに保持された情報でもよい。
【０１４８】
携帯通信端末は、このような認証情報のいずれかを送信する。テレビ１１０は、その受信した認証情報を、サービスサイトを運営するサービス提供サーバ１２０に送信する。サービス提供サーバ１２０は、その受信した認証情報と、当該サービスサイトの使用者として登録済みであるデータとを比較することにより、サービスサイトへのアクセスの可否を判定する。判定の結果、正当な使用者であることが確認されると、テレビ１１０は、コンテンツ情報の配信その他のサービスを、サービス提供サーバ１２０から受けることができる。
【０１４９】
このようにすると、携帯電話１００の使用者は、当該サービスサイトにアクセスするための認証情報を常に記憶しておく必要がない。当該サービスサイトによる認証も容易になる。また、テレビ１１０は、容易に個人を特定することができる。認証の手段は、携帯通信端末が有する機能に応じて異なる場合もありえるが、本実施の形態に係るコンテンツ出力システム１０によると、携帯通信端末に依存することなく、各端末が有する認証機能に応じた認証が実現される。
【０１５０】
＜変形例＞
以下、本実施の形態の変形例について説明する。本変形例に係るコンテンツ出力システムは、ネットワークに接続されるテレビ１１０が画像データに基づく認証処理を行なってその結果に基づいてサービス提供サーバ１２０にアクセスする機能を有する点で、前述のコンテンツ出力システム１０と異なる。なお、本変形例に係るコンテンツ出力システムを構成する携帯通信端末およびコンテンツ出力装置は、一例として、前述の携帯電話１００、テレビ１１０によって実現される。そこで、携帯電話１００およびテレビ１１０の構成を用いて、本変形例に係るコンテンツ出力システムを説明する。
【０１５１】
図１４を参照して、本変形例に係るコンテンツ出力システムの制御構造について説明する。図１４は、ハードウェア認証処理の一連の動作を表わすフローチャートである。
【０１５２】
ステップＳ１４１０にて、テレビ１１０のＣＰＵ８１０は、携帯電話１００が認証手段を有するとの判定の結果に基づいて（ステップＳ１２２０にてＹＥＳ）、カメラ認証要求を生成し、発信部８１６を介してその信号を発信する。携帯電話１００は、受信部４０４を介してその信号を受信する。
【０１５３】
ステップＳ１４１２にて、携帯電話１００は、フラッシュメモリ４４４に格納されている認証情報取得プログラム（メモリ領域５７０）を実行することにより、カメラ認証アプリを起動する。ステップＳ１４１４にて、ＣＰＵ４１０は、カメラ４４０を駆動して被写体を撮影し、その撮影によって得られた画像信号に基づいて認証処理を実行する。より具体的には、テレビ１１０において認証するために予め規定された態様で撮影が行なわれたか否かを確認する。
【０１５４】
ステップＳ１４１６にて、ＣＰＵ４１０は、リモコン信号発信部４６０を介して撮影によって得られた画像データを発信する。この信号は、テレビ１１０の受信部８０６によって受信される。
【０１５５】
ステップＳ１４１８にて、テレビ１１０のＣＰＵ８１０は、受信部８０６を介して受信した画像データと、記憶装置８６０において予め登録されている画像データとを比較する。ＣＰＵ８１０は、画像データの送信者がテレビ１１０において予め登録されていると判定すると、制御をステップＳ１４２０に切り換える。
【０１５６】
より具体的には、ＣＰＵ８１０は、記憶装置８６０から当該画像データに対応付けて格納されているユーザＩＤとパスワードとを読み出し、メモリ８１２に格納する。ＣＰＵ８１２は、そのユーザＩＤとパスワードとを用いてパケットを生成し、生成したパケットを通信Ｉ／Ｆ８７０を介してインターネット１３０に送信する。サービス提供サーバ１２０はテレビ１１０からそのパケットを受信する。
【０１５７】
ステップＳ１４３０にて、サービス提供サーバ１２０のＣＰＵは、テレビ１１０から受信したユーザＩＤおよびパスワードと、サービス提供サーバにおいて予め登録されているユーザＩＤおよびパスワードとに基づいて当該サービスサイトへのアクセスを要求している使用者が正当な使用者であるか否かの認証を行なう。当該ＣＰＵは、その使用者が正当であると判定すると（ステップＳ１４３０にてＹＥＳ）、制御をステップＳ１４４０に切り換える。そうでない場合には（ステップＳ１４３０にてＮＯ）、ＣＰＵは、その認証の結果および送信されたユーザＩＤとパスワードとではアクセスできないことを表わすパケットを生成し、テレビ１１０に送信する。
【０１５８】
ステップＳ１４４０にて、サービス提供サーバ１２０は、ハードディスク（図示しない）に格納されているコンテンツから、配信が求められたコンテンツを読み出し、ストリームデータを生成する。ＣＰＵは、インターネット１３０を介してそのデータをテレビ１１０に送信する。ステップＳ１４５０にて、テレビ１１０は、通信Ｉ／Ｆ８７０を介して受信したデータに基づいてそのコンテンツをディスプレイ８３０に表示する。
【０１５９】
以上のようにして、本変形例に係るコンテンツ出力システムによると、テレビ１１０は、携帯電話１００から送られたデータ（画像データ）に基づいて、当該データの送信者を認証する。その認証の結果、携帯電話１００の使用者が正当であると判定すると、その携帯電話１００についてテレビ１１０に格納されているユーザＩＤおよびパスワードをサービス提供サーバ１２０に送信する。
【０１６０】
サービス提供サーバ１２０は、そのユーザＩＤおよびパスワードによるアクセスが正当なものであると判定し、求められたサービス（たとえばコンテンツ情報の配信）を実現する。
【０１６１】
ここで、図１５〜図１７を参照して、本実施の形態に係るコンテンツ出力システムにより実現される機能を説明する。図１５〜図１７は、コンテンツ出力システムにおけるデータの流れを表わす図である。
【０１６２】
図１５に示されるように、携帯電話１００は、テレビ１１０を制御するリモコン信号を発信することができる。この信号を用いて携帯電話１００を識別する機器ＩＤおよび携帯電話１００が有する機能を特定するテーブルが送信される。携帯電話１００とテレビ１１０との間で行なわれた認証が成功すると、認証情報は、インターネット１３０を介してサービス提供サーバ１２０に送信される。このような構成により、ブロードバンドを使用する既存のサービスにおいて、携帯電話１００の使用者は、当該サービスに固有なＩＤおよびパスワードを記憶しておく必要がない。本実施の形態に係るコンテンツ出力システム１０によると、容易に、かつ、確実に、本人の認証が実現される。
【０１６３】
より具体的には、図１６に示されるように、ある局面において、サービス提供サーバ１２０とテレビ１１０との間で通信セッションが形成されると、サービス提供サーバ１２０によって提供されるサービスサイトを識別するサイトＩＤは、テレビ１１０に送信される。テレビ１１０は、サイトＩＤを有する信号を発信する。携帯電話１００は、その信号からサイトＩＤを抽出し、サイトＩＤを格納する。
【０１６４】
携帯電話１００は、当該サービスサイトに最初にアクセスする時に入力されたユーザＩＤとパスワードとを保存している。この時の入力は、携帯電話１００のボタン、ジョグダイヤルなどの操作手段によって行なわれている。したがって、使用者は、慣れ親しんだユーザ入力インターフェイスを使用して認証情報を入力することができる。さらに、携帯電話１００は、上記サイトＩＤをフラッシュメモリ４４４に格納している。サイトＩＤとユーザＩＤとパスワードとは、関連付けて保存される。その結果、当該サービスサイトに２回目以降にアクセスする場合には、使用者は、ユーザＩＤおよびパスワードを改めて入力することなく、ユーザＩＤおよびパスワードを、サイトＩＤとともに、サービス提供サーバ１２０に送信できる。この場合、セキュリティを高めるために、携帯電話１００の使用者であることを確認するための認証手段が設けられる。
【０１６５】
より具体的には、図１７を参照して、認証手段は、使用者が正当な使用者であるか否かを認証する。たとえば、文字の入力、顔画像の取得、指紋の取得、網膜の取得などが行なわれる。たとえば、画面１７１０に示されるように、特定のサイトの画面が表示される。「ＩＤ呼び出し」のアイコンの選択が行なわれると、その選択に応答して、携帯電話１００に対して登録済みの暗証番号の入力を求める画面１７２０が表示される。その画面に対して暗証番号が入力されると、携帯電話１００は、その暗証番号と、登録済みの暗証番号とが一致するか否かを判定する。これらの暗証番号が一致する場合には、携帯電話１００は、ユーザＩＤおよびパスワードその番号を有する信号を発信する。テレビ１１０はその信号を受信すると、ユーザＩＤおよびパスワードを当該サイトＩＤによって特定されるサービス提供サーバ１２０に送信する。
【０１６６】
その結果、使用者は、サービスサイトにアクセスする都度、ユーザＩＤおよびパスワードを入力する必要がなくなる。また、誤入力の恐れもなくなり、利便性がもたらされる。
【０１６７】
また、換言すると、本実施の形態に係る携帯電話１００によると、携帯電話１００に保存されている認証情報が活用可能である。その結果、たとえば、家族が全く同じ携帯電話を有していなくても、各携帯電話に保存された各々の認証情報を利用することができる。また、携帯電話の機種の変更などにより携帯通信端末の仕様が変更されても、認証情報を使用することができる。その結果、たとえば、テレビ１１０がで本人認証を管理することで、家庭の家族構成に応じた制御が容易に実現できる。たとえば、いわゆる、ペアレンタルロック、Ｒ指定コンテンツの視聴制限等が実現され得る。
【０１６８】
また、携帯電話１００に対する文字の入力、あるいは、携帯電話１００に固有の暗証番号等の入力が行なわれるとこれらのデータは携帯電話１００に保存される。その結果、サービスサイトを次回利用する場合にも、携帯電話１００に保存されたＩＤ／パスワードが利用できるため、データあるいは文字を改めて入力することなく、容易にサービスサイトを利用することができる。その結果、操作性あるいは利便性が向上し得る。
【０１６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１７０】
本発明は、たとえば、テレビジョン受信装置その他の映像表示装置、音声出力装置、あるいは、携帯電話、ＰＤＡその他の情報通信端末に適用可能である。また、他の局面において、入室管理システムなどについても、携帯電話による認証機能を適用可能である。また、テレビは、利用するユーザを把握できるので、ネットワークを使っての番組配信等において、利用ユーザ毎に番組の広告を差し替えるようなインターネット映像配信分野への応用も可能である。
【図面の簡単な説明】
【０１７１】
【図１】本発明の実施の形態に係るコンテンツ出力システム１０のシステム構成を表わす図である。
【図２】コンテンツ出力システム１０を構成する携帯電話１００とテレビ１１０との間で行なわれる通信の態様を表わす図である。
【図３】携帯電話１００によって実現される機能の構成を表わすブロック図である。
【図４】携帯電話１００のハードウェア構成を表わすブロック図である。
【図５】携帯電話１００が備えるフラッシュメモリ４４４におけるデータの格納の一態様を概念的に表わす図である。
【図６】携帯電話１００からテレビ１１０に対して発信される信号６００の構成を表わす図である。
【図７】本発明の実施の形態に係るテレビ１１０によって実現される機能の構成を表わすブロック図である。
【図８】テレビ１１０のハードウェア構成を表わすブロック図である。
【図９】テレビ１１０の記憶装置８６０におけるデータの格納の一態様を概念的に表わす図である。
【図１０】テレビ１１０によって発信される信号１０００の構成を概念的に表わす図である。
【図１１】携帯電話１００とテレビ１１０とが実行する一連の動作の一部を表わすフローチャートである。
【図１２】携帯電話１００とテレビ１１０とサービス提供サーバ１２０との間で行なわれる一連の動作を表わすフローチャートである。
【図１３】携帯電話１００が有する認証手段によるハードウェア認証処理を表わすフローチャートである。
【図１４】本発明の実施の形態の変形例に係るコンテンツ出力システムのハードウェア認証処理の一連の動作を表わすフローチャートである。
【図１５】コンテンツ出力システムにおけるデータの流れを表わす図（その１）である。
【図１６】コンテンツ出力システムにおけるデータの流れを表わす図（その２）である。
【図１７】コンテンツ出力システムにおけるデータの流れを表わす図（その３）である。
【符号の説明】
【０１７２】
１０  コンテンツ出力システム、１３０  インターネット、４０８  アンテナ、４８２  メモリカード、６００  信号、  ８０２  アンテナ、８２８  表示ドライバ、８３６ａ，８３６ｂ  アンプ、１０００  信号。
【図１】
2008199197.tif 000003
【図２】
2008199197.tif 000004
【図３】
2008199197.tif 000005
【図４】
2008199197.tif 000006
【図５】
2008199197.tif 000007
【図６】
2008199197.tif 000008
【図７】
2008199197.tif 000009
【図８】
2008199197.tif 000010
【図９】
2008199197.tif 000011
【図１０】
2008199197.tif 000012
【図１１】
2008199197.tif 000013
【図１２】
2008199197.tif 000014
【図１３】
2008199197.tif 000015
【図１４】
2008199197.tif 000016
【図１５】
2008199197.tif 000017
【図１６】
2008199197.tif 000018
【図１７】
2008199197.tif 000019